(57)【要約】      （修正有）【課題】コンテナを倒しても中仕切り部材が飛び出すことがなく、位置精度良好に物品の取出しが可能であるとともに、様々な物品を収容することのできる中仕切りコンテナおよび中仕切り部材の位置決め固定具を提供する。【解決手段】内方に物品収容部７４を形成するとともに底壁部７０と対向する側が開口されたコンテナ本体部７６と、複数の中仕切り板８２で複数の小部屋に区画形成する中仕切り部材８０と、を有する中仕切りコンテナ９０において、各中仕切り板８２を位置決め固定する位置決め固定具１０は、複数の中仕切り板８２を係止するための係止溝が所定間隔置きに複数形成された平板部材２０と、平板部材２０を側壁部７２に着脱自在に多点止めする固定手段３０と、を備え、各中仕切り板８２を挿入して係止した後、少なくともコンテナ本体部７６の寸法基準点に近い側に位置する平板取り付け点において、平板部材２０が位置決めされる。【選択図】図１
2010241435.tif 000002
【特許請求の範囲】
【請求項１】
底壁部と前記底壁部の周縁より立設された複数の側壁部とにより、内方に物品収容部を形成するとともに前記底壁部と対向する側が開口されたコンテナ本体部と、
前記コンテナ本体部内に配設され、複数の中仕切り板で前記物品収容部を複数の小部屋に区画形成する中仕切り部材と、を有する中仕切りコンテナにおいて、
前記コンテナ本体部内に配設された中仕切り部材の各中仕切り板を位置決め固定する位置決め固定具であって、
前記位置決め固定具は、
前記中仕切り部材を構成する複数の中仕切り板の開口側端部を係止するための係止溝が所定間隔置きに複数形成された平板部材と、
前記平板部材に設けられた複数の係止溝内に各中仕切り板の開口側端部を差し込んで係止した状態で、前記平板部材を側壁部に着脱自在に多点止めする固定手段と、を備え、
前記平板部材の各係止溝内に中仕切り部材の各中仕切り板を挿入して係止した後、前記側壁部に、前記平板部材を固定手段で多点止めして取り付けた際、
前記側壁部の複数の平板取り付け点のうち、少なくとも前記コンテナ本体部の寸法基準点に近い側に位置する平板取り付け点において、前記平板部材が位置決めされるよう構成されていることを特徴とする位置決め固定具。
【請求項２】
前記固定手段が、
前記平板部材と前記側壁部とを貫通する軸部と、前記軸部の一方側の端部に抜け止めフランジ部とを有する取り付けピン部材と、
前記貫通された軸部の他方側の端部と係合する係合部を有する係止操作部材と、
から構成されていることを特徴とする請求項１に記載の位置決め固定具。
【請求項３】
前記コンテナ本体部の寸法基準点に近い側において、
前記平板部材に設けられた係止孔の形状と、
前記側壁部に設けられた取り付け用孔の形状と、
前記平板部材の係止孔および前記側壁部の取り付け用孔を貫通する軸部の断面形状が、
略同一であることを特徴とする請求項１または２に記載の位置決め固定具。
【請求項４】
前記位置決め固定具は、
前記コンテナ本体部の一方の側壁部と、前記一方の側壁部と直交する方向に設けられた他方の側壁部と、に少なくとも設けられることを特徴とする請求項１から３のいずれかに記載の位置決め固定具。
【発明の詳細な説明】
【技術分野】
【０００１】
本発明は、中仕切りコンテナ内に配設された中仕切り部材の位置決め固定を行うための位置決め固定具、およびこの位置決め固定具を配設してなる中仕切りコンテナに関する。
【背景技術】
【０００２】
従来より、電子部品をはじめとするあらゆる物品の保管や運搬用として、樹脂製のコンテナが広く利用されており、このようなコンテナの一つとして、コンテナ内に複数の中仕切り板を設置し、コンテナ内に複数の小部屋を区画形成した中仕切りコンテナが広く用いられている。
【０００３】
このような中仕切りコンテナ１００は、例えば図１５に示したように、コンテナ本体部１０２の底壁部１０４に貫通スリット１０８を複数設けるとともに、貫通スリット１０８と直交する２辺の側壁部１０６にも貫通スリット１０８にあわせた位置に溝部１１０が設けられ、この溝部１１０と貫通スリット１０８に挿入される凸部１２２，１２４を有する中仕切り板１２０をコンテナ本体部１０２内の各溝部１１０および貫通スリット１０８に配設することで、複数の小部屋が区画形成されるようになっている（特許文献１参照のこと）。
【０００４】
なお、この中仕切りコンテナ１００は、あらかじめ複数の貫通スリット１０８と溝部１１０が設けられているので、収容する物品の大きさに合わせて、中仕切り板１２０の配設位置を変えて小部屋の大きさや数を調整可能であり、様々な物品の収容ができるようになっている。
【０００５】
一方、特許文献２に開示された中仕切りコンテナ２００は、図１６に示したように、コンテナ本体部２０２内に複数の中仕切り板２２２を格子状に組み合わせた中仕切り部材２２０を設置し、この中仕切り部材２２０の四方の端部に、それぞれ中仕切り部材２２０の中仕切り板２２２の位置にあわせて複数の溝２３２が形成された平板部材２３０を嵌め合わせ、この状態で平板部材２３０を両面テープ（図示せず）でコンテナ本体部２０２の各側壁部２０４に接着して構成されており、これにより中仕切りコンテナ２００を傾倒させても、コンテナ本体部２０２内の中仕切り部材２２０が外方に飛び出さないように工夫がされている。
【０００６】
さらに、内部の中仕切り部材２２０および平板部材２３０を別の物品用のものに交換して小部屋の大きさを変えれば、別の物品の収容にも用いることができるようになっている。
【０００７】
このような中仕切りコンテナ２００は、複数の小部屋内に物品が収容されるようになっているため、中仕切りコンテナ２００内の各小部屋内に配設された物品の位置が判明し易く、例えば自動ラインなどにおいて中仕切りコンテナ２００が用いられる場合には、中仕切りコンテナ２００内の各小部屋に収容された物品を自動機で取り出せるようになっている。
【０００８】
なお自動ラインでは、例えば中仕切りコンテナ２００内の各小部屋の位置データを予め記憶装置内に記憶しておき、この位置データに基づいて自動機を作動させ、所望の小部屋内に収容された物品を取り出すようにしている。
【先行技術文献】
【特許文献】
【０００９】
【特許文献１】実公昭６３−１６９４３９号公報
【特許文献２】特許第３３００２７６号公報
【発明の概要】
【発明が解決しようとする課題】
【００１０】
しかしながら、特許文献１に記載の中仕切りコンテナ１００は、貫通スリット１０８や溝部１１０に中仕切り板１２０を配設するだけであるため、貫通スリット１０８や溝部１１０の寸法公差と、中仕切り板１２０の板厚寸法公差とにより、貫通スリット１０８や溝部１１０に中仕切り板１２０を配設した際、両者の間にクリアランスが生じ、貫通スリット１０８や溝部１１０内で中仕切り板１２０が、がたつきを生ずる場合があった。
【００１１】
また、このような中仕切りコンテナ１００を自動ラインで使用すると、中仕切りコンテナ１００に対する各中仕切り板１２０の位置が定まらないため、自動機が誤った位置の物品を取り出してしまったり、物品を確実に挟持できず破損してしまう虞があった。
【００１２】
さらに、貫通スリット１０８や溝部１１０が設けられた中仕切りコンテナ１００は、貫通スリット１０８や溝部１１０の位置が初めから決められているため、貫通スリット１０８や溝部１１０の位置とは合わない大きさの物品搬送には適さず、汎用性が悪いという難点を有している。
【００１３】
一方、特許文献２に記載の中仕切りコンテナ２００では、平板部材２３０が両面テープでコンテナ本体部２０２の側壁部２０４に接着されているため、平板部材２３０を側壁部２０４から取り外す際、平板部材２３０が変形したり、側壁部２０４に接着剤が残存することも有り、他の物品用に換えて使用するにしても、使用までにコストや時間がかかってしまうものであった。
【００１４】
また、この中仕切りコンテナ２００を自動ラインで使用すると、平板部材２３０が単に両面テープで側壁部２０４に接着されているだけであるため、側壁部２０４に対する平板部材２３０の位置決めがなされていない。
【００１５】
このため、中仕切り部材２２０の位置が定まらず、やはり特許文献１と同様、自動機が誤った位置の物品を取り出してしまったり、物品を確実に挟持できず破損してしまう虞があった。
【００１６】
本発明はこのような現状に鑑みなされたものであって、例えば自動ラインにおいて使用する場合にコンテナを倒しても中仕切り部材が飛び出すことがなく、位置精度良好に物品の取出しが可能であるとともに、様々な物品を収容することのできる汎用性の高い中仕切りコンテナおよび中仕切り部材の位置決め固定具を提供することを目的とする。
【課題を解決するための手段】
【００１７】
本発明は、前述したような従来技術における問題点を解決するために発明されたものであって、
本発明の位置決め固定具は、
底壁部と前記底壁部の周縁より立設された複数の側壁部とにより、内方に物品収容部を形成するとともに前記底壁部と対向する側が開口されたコンテナ本体部と、
前記コンテナ本体部内に配設され、複数の中仕切り板で前記物品収容部を複数の小部屋に区画形成する中仕切り部材と、を有する中仕切りコンテナにおいて、
前記コンテナ本体部内に配設された中仕切り部材の各中仕切り板を位置決め固定する位置決め固定具であって、
前記位置決め固定具は、
前記中仕切り部材を構成する複数の中仕切り板の開口側端部を係止するための係止溝が所定間隔置きに複数形成された平板部材と、
前記平板部材に設けられた複数の係止溝内に各中仕切り板の開口側端部を差し込んで係止した状態で、前記平板部材を側壁部に着脱自在に多点止めする固定手段と、を備え、
前記平板部材の各係止溝内に中仕切り部材の各中仕切り板を挿入して係止した後、前記側壁部に、前記平板部材を固定手段で多点止めして取り付けた際、
前記側壁部の複数の平板取り付け点のうち、少なくとも前記コンテナ本体部の寸法基準点に近い側に位置する平板取り付け点において、前記平板部材が位置決めされるよう構成されていることを特徴とする。
【００１８】
このように位置決め固定具が構成されていれば、中仕切りコンテナを倒した状態でも、中仕切り板の飛び出しを防止することができ、さらに平板部材が固定手段により位置決め固定されるとともに、固定手段が着脱自在であるため、コンテナの側壁部から平板部材を取り外すことが容易で、コンテナを汎用性高く使用することができる。
【００１９】
さらに、側壁部に取り付けられた平板部材の取り付け点のうち、コンテナ本体部の寸法基準点に近い側に位置する平板取り付け点において、平板部材が位置決めされていれば、中仕切りコンテナ内に配設された中仕切り部材による各小部屋の位置精度が高められるため、自動ラインで中仕切りコンテナを使用した際に、確実に所望の位置に配設された物品を自動機で取り出すことができる。
【００２０】
また、本発明の位置決め固定具は、
前記固定手段が、
前記平板部材と前記側壁部とを貫通する軸部と、前記軸部の一方側の端部に抜け止めフランジ部とを有する取り付けピン部材と、
前記貫通された軸部の他方側の端部と係合する係合部を有する係止操作部材と、
から構成されていることを特徴とする。
このように固定手段が取り付けピン部材と係止操作部材とから構成されていれば、平板部材の位置決め固定が容易であるとともに、取り外しも容易に行うことができる。
【００２１】
また、本発明の位置決め固定具は、
前記取り付けピン部材が、前記コンテナ本体部の内側に位置され、
前記係止操作部材が、前記コンテナ本体部の外側に位置するよう構成されていることを特徴とする。
【００２２】
このような位置関係で取り付けピン部材と係止操作部材とを設置すれば、コンテナの内側に位置する部分が、取り付けピン部材の抜け止めフランジ部のみとなるため、自動機で物品を取り出す際に誤って物品と取り付けピン部材とが接触して障害となることを防止することができる。
【００２３】
また、本発明の位置決め固定具は、
前記平板部材において、
前記取り付けピン部材の抜け止めフランジ部が位置する部分に段部が設けられ、前記段部の段差幅が、前記抜け止めフランジ部の厚み以上に設定されていることを特徴とする。
【００２４】
このように平板部材の段部に取り付けピン部材の抜け止めフランジ部が配設され、段部の段差幅が抜け止めフランジ部の厚み以上であれば、コンテナの端部に物品が入れられていても、物品が抜け止めフランジ部に接触することがないため、物品の取り出し時の障害となることを確実に防止することができる。
【００２５】
また、本発明の位置決め固定具は、
前記係止操作部材が、
前記コンテナ本体部の外形よりも外側に突出しないように構成されていることを特徴とする。
【００２６】
このように構成されていれば、中仕切りコンテナを複数並べる場合に、隣り合った中仕切りコンテナ同士がぶつかりあっても、係止操作部材同士は接触することがないため、破損の心配もなく、またコンテナの最外形が大きくならないので好ましい。
【００２７】
また、本発明の位置決め固定具は、
前記コンテナ本体部の寸法基準点に近い側において、
前記平板部材に設けられた係止孔の形状と、
前記側壁部に設けられた取り付け用孔の形状と、
前記平板部材の係止孔および前記側壁部の取り付け用孔を貫通する軸部の断面形状が、
略同一であることを特徴とする。
【００２８】
このように貫通孔の形状と軸部の断面形状とが略同一であれば、平板部材の位置決めおよび固定を確実に行うことができる。また、コンテナ本体部の寸法基準点に近い側であるため、コンテナ本体部の寸法精度にばらつきが生じても、寸法基準点から貫通孔までの距離はほとんど離れていないため、この位置に確実に平板部材の一端部が位置決め固定されれば、中仕切り部材を所望の精度で位置決めすることができる。
したがって、自動ラインにおいて中仕切りコンテナを用いた場合に、自動機が所望の物品を確実に取り出すことができる。
【００２９】
また、本発明の位置決め固定具は、
前記コンテナ本体部の寸法基準点に遠い側において、
前記平板部材に設けられた係止孔の形状が、前記側壁部に設けられた取り付け用孔の形状よりも大きいことを特徴とする。
【００３０】
このようにコンテナ本体部の寸法基準点に遠い側の係止孔の形状が、側壁部に設けられた取り付け用孔よりも大きくても、寸法基準点に近い側については、位置精度良く固定されているため、中仕切り部材を所望の精度で位置決めさせることができる。
【００３１】
なお、コンテナ本体部の寸法基準点に遠い側の係止孔については、左右の方向に長孔とし、上下方向については取り付け用孔と同幅とすることが好ましい。このようにすれば、左右方向のみに遊びがあることになるため、上下方向に平板部材がずれることなく、中仕切り部材を所望の精度で位置決めさせることができる。
【００３２】
また、本発明の位置決め固定具は、
前記固定手段は、
前記側壁部の開口側端面上に設けられた側壁嵌合孔に嵌合される嵌合爪と、
前記平板部材を前記側壁部側に沿うように押圧する押圧部と、を有する嵌合部材から構成されていることを特徴とする。
【００３３】
このように嵌合部材のみで平板部材を位置決め固定すれば、部品点数が少なくて済むため、製造コストを抑えつつ、中仕切り部材を所望の精度で位置させることができる。したがって、自動ラインにおいて中仕切りコンテナを用いた場合に、自動機が所望の物品を確実に取り出すことができる。
【００３４】
また、本発明の位置決め固定具は、
前記平板部材は、
前記嵌合部材の押圧部が位置する部分に、前記押圧部が挿入される挿入凹部が設けられ、
前記挿入凹部の凹部深さが、前記押圧部の厚み以上となるように設定されていることを特徴とする。
【００３５】
このように嵌合凹部の凹部深さが、押圧部の厚み以上であれば、コンテナの端部に物品が入れられていても、物品が押圧部に接触することがないため、物品の取り出し時の障害となることを確実に防止することができる。
【００３６】
また、本発明の位置決め固定具は、
前記嵌合部材が、
前記コンテナ本体部の側壁部の上端面に設けられた上端凹部に挿入されるように構成され、前記上端凹部内に前記側壁嵌合孔が設けられていることを特徴とする。
【００３７】
このように嵌合部材が側壁部の上端面に設けられた上端凹部に挿入されるようになっていれば、嵌合部材の両側面を上側凹部の両側面で保持することになるため、嵌合部材が上端凹部内でぐらつくことなく、確実に固定することができる。
【００３８】
また、本発明の位置決め固定具は、
前記嵌合部材に挿入凸部が設けられるとともに、前記側壁部の上端凹部に挿入孔が設けられ、
前記嵌合部材を前記側壁部の上端面に設けられた上端凹部に挿入した際において、
前記挿入凸部が、前記側壁部の上端凹部に設けられた前記挿入孔に挿入されるように構成されていることを特徴とする。
【００３９】
このように、嵌合部材の挿入凸部が、側壁部の上端凹部に設けられた挿入孔に挿入されるようになっていれば、挿入凸部が挿入孔に案内されて位置決めされるため、側壁嵌合孔に嵌合部材の嵌合爪が嵌合させ易くすることができる。なお、嵌合部材の挿入凸部は、端部に行くにしたがって幅が狭くなるようテーパー形状となっていれば、このテーパー形状の挿入凸部が挿入孔に案内され易くすることができる。
【００４０】
また、本発明の位置決め固定具は、
前記嵌合部材が、
前記コンテナ本体部の最外形よりも外方および上方に突出しないように構成されていることを特徴とする。
【００４１】
このように構成されていれば、中仕切りコンテナを複数並べる場合に、上下左右に隣り合った中仕切りコンテナ同士がぶつかりあっても、嵌合部材同士は接触することがないため、破損の心配もなく、コンテナの最外形が大きくならないので好ましい。
【００４２】
また、本発明の位置決め固定具は、
前記コンテナ本体部の寸法基準点に近い側において、
前記平板部材の嵌合凹部の形成幅と、
前記コンテナ本体部の側壁部の上端面に設けられた上端凹部の形成幅と、
前記嵌合部材の長辺側の幅と、
前記嵌合部材の押圧部の長辺側の幅が、
略同一に設定されていることを特徴とする。
【００４３】
このようにそれぞれの幅が略同一であれば、平板部材の位置決めおよび固定を確実に行うことができる。また、コンテナ本体部の寸法基準点に近い側において上記の寸法となっていれば、コンテナ本体部の寸法精度にばらつきが生じても、寸法基準点から上端凹部までの距離はほとんど離れていないため、この位置に確実に平板部材の一端部が位置決め固定されれば、中仕切り部材を所望の精度で位置決めすることができる。
したがって、自動ラインにおいて中仕切りコンテナを用いた場合に、自動機が所望の物品を確実に取り出すことができる。
【００４４】
また、本発明の位置決め固定具は、
前記コンテナ本体部の寸法基準点に遠い側において、
前記平板部材の嵌合凹部の形成幅が、
前記嵌合凹部に挿入される前記嵌合部材の押圧部の長辺側の幅よりも、大きく設定されていることを特徴とする。
【００４５】
このようにコンテナ本体部の寸法基準点に遠い側の嵌合凹部の幅が、嵌合部材の押圧部の長辺側の幅よりも大きく設定されていても、寸法基準点に近い側については、位置精度良く固定されているため、中仕切り部材を所望の精度で位置させることができる。
【００４６】
また、本発明の位置決め固定具は、
前記平板部材に設けられた前記係止溝の幅と、前記係止溝に係止される前記中仕切り部材の各仕切り板の幅が、略同一幅であることを特徴とする。
【００４７】
このように係止溝と中仕切り部材の幅が設定されていれば、係止溝内で中仕切り部材ががたつくことを防止することができる。したがって、自動ラインにおいて中仕切りコンテナを用いた場合に各中仕切り板の位置決め精度が良好であり、自動機が所望の物品を確実に取り出すことができる。
【００４８】
また、本発明の位置決め固定具は、
前記平板部材が、打ち抜き加工により成形されていることを特徴とする。
このように打ち抜き加工で固定部材を成形すれば、所望の寸法精度を得ることが確実にできる。
【００４９】
また、本発明の位置決め固定具は、
前記平板部材が、射出成形により成形されていることを特徴とする。
このように射出成形であっても、平板部材が板状の比較的簡単な形状であるため、寸法精度の良い平板部材を得ることができる。
【００５０】
また、本発明の位置決め固定具は、
少なくとも前記平板部材の長辺側の寸法公差が、±０．５ｍｍ以内であることを特徴とする。
【００５１】
このように平板部材の寸法公差を設定すれば、寸法精度にばらつきを生ずるコンテナ本体部の所定位置を基準としても、平板部材の寸法精度が高いため、コンテナ本体部の所定の基準点からの中仕切り部材の位置精度を高めることができる。
したがって、自動ラインにおいて中仕切りコンテナを用いた場合に、自動機が所望の物品を確実に取り出すことができる。
【００５２】
また、本発明の位置決め固定具は、
前記平板部材を側壁部に多点止めする固定手段が、
少なくとも前記平板部材の両端部に設けられていることを特徴とする。
このように位置決め固定具が平板部材の両端部に設けられていれば、平板部材を確実に側壁部に固定することができる。
【００５３】
また、本発明の位置決め固定具は、
前記中仕切り部材が、
複数の前記中仕切り板を互いに嵌め合わせて格子状に構成されていることを特徴とする。
【００５４】
このように中仕切り部材が格子状に構成されていれば、物品収容部を複数に区画形成することが容易であるとともに、各小部屋のサイズが変わってしまうことがないため、位置決め良好である。
【００５５】
また、本発明の位置決め固定具は、
前記コンテナ本体部の一方の側壁部と、前記一方の側壁部と直交する方向に設けられた他方の側壁部と、に少なくとも設けられることを特徴とする。
【００５６】
このようにコンテナ本体部の２辺にのみ位置決め固定具が配設されていても、この２辺から形成される端部付近がコンテナの基準点であれば、中仕切り部材を所望の精度で位置決めさせることができる。
したがって、自動ラインにおいて中仕切りコンテナを用いた場合に、自動機が所望の物品を確実に取り出すことができる。
【００５７】
また、本発明の中仕切りコンテナは、
底壁部と前記底壁部の周縁部より立設された複数の側壁部とにより、内方に物品収容部を形成するとともに前記底壁部と対向する側が開口されたコンテナ本体部と、
前記コンテナ本体部内に配設され、前記物品収容部を複数に区画形成する複数の中仕切り板からなる中仕切り部材と、
を有する中仕切りコンテナであって、
前記中仕切りコンテナは、
上記記載の位置決め固定具を備え、前記コンテナ本体部内に配設された前記中仕切り部材の位置決め固定を行うよう構成されていることを特徴とする。
【００５８】
このような位置決め固定具により中仕切り部材が位置決め固定された中仕切りコンテナであれば、複数に区画形成された物品収容部の各小部屋の位置精度が極めて良好であるため、自動ラインにおいて中仕切りコンテナを用いた場合に、自動機が各小部屋内に収容された所望の物品を確実に取り出すことができる。
【００５９】
また、本発明の中仕切りコンテナは、
前記中仕切りコンテナが、自動ラインにて用いられ、
前記コンテナ本体部内に区画形成された各小部屋内に収容された物品が、自動機にて取り出し可能に構成されていることを特徴とする。
【００６０】
このように中仕切りコンテナが、自動ラインで用いられるものであれば、本発明の位置決め固定具により、各中仕切り板の位置決め固定が確実に行えるため、所望の位置に収容された物品を、自動機にて確実に取り出すことができる。
【発明の効果】
【００６１】
本発明によれば、例えば自動ラインにおいて使用する場合にコンテナを倒しても中仕切り部材が飛び出すことがなく、位置精度良好に物品の取出しが可能であるとともに、様々な物品を収容することのできる汎用性の高い中仕切りコンテナおよび中仕切り部材の位置決め固定具を提供することができる。
【図面の簡単な説明】
【００６２】
【図１】図１は、本発明の中仕切りコンテナの斜視図である。
【図２】図２は、本発明の平板部材の斜視図である。
【図３】図３は、図１に示した中仕切りコンテナのＡ−Ａ線による断面図である。
【図４】図４は、本発明の中仕切りコンテナにおいて、第１の実施例である位置決め固定具の装着前の状況を説明する部分拡大斜視図である。
【図５】図５は、本発明の中仕切りコンテナにおいて、第１の実施例である位置決め固定具の装着前の状況を説明する部分拡大斜視図である。
【図６】図６は、本発明の中仕切りコンテナにおいて、第１の実施例である位置決め固定具の装着状況を説明する部分拡大斜視図である。
【図７】図７は、本発明の中仕切りコンテナにおいて、第１の実施例である位置決め固定具の装着状況を説明する部分拡大斜視図である。
【図８】図８は、本発明の中仕切りコンテナの上面図であって、図８（ａ−２）は図８（ａ−１）の拡大図、図８（ｂ−２）は、図８（ｂ−１）の拡大図である。
【図９】図９は、本発明の中仕切りコンテナの上面図である。
【図１０】図１０は、本発明の中仕切りコンテナの上面図である。
【図１１】図１１は、本発明の中仕切りコンテナにおいて、第２の実施例である位置決め固定具の装着前の状況を説明する部分拡大斜視図である。
【図１２】図１２は、本発明の中仕切りコンテナにおいて、第２の実施例である位置決め固定具の装着前の状況を説明する部分拡大斜視図である。
【図１３】図１３は、本発明の中仕切りコンテナにおいて、第２の実施例である位置決め固定具の装着状況を説明する部分拡大斜視図である。
【図１４】図１４は、本発明の中仕切りコンテナの上面図であって、図１４（ａ−２）は図１４（ａ−１）の拡大図、図１４（ｂ−２）は、図１４（ｂ−１）の拡大図である。
【図１５】図１５は、従来の中仕切りコンテナを説明するための概略斜視図である。
【図１６】図１６は、従来の中仕切りコンテナを説明するための概略斜視図である。
【発明を実施するための形態】
【００６３】
以下、本発明の実施の形態について、図面に基づいてより詳細に説明する。
図１は、本発明の中仕切りコンテナの斜視図、図２は、本発明の平板部材の斜視図、図３は、図１に示した中仕切りコンテナのＡ−Ａ線による断面図、図４および図５は、本発明の中仕切りコンテナにおいて、第１の実施例である位置決め固定具の装着前の状況を説明する部分拡大斜視図、図６および図７は、本発明の中仕切りコンテナにおいて、第１の実施例である位置決め固定具の装着状況を説明する部分拡大斜視図、図８から図１０は、本発明の中仕切りコンテナの上面図である。なお図３については、説明の便宜上、格子状に設けられた中仕切り部材のうち、横方向に配設された中仕切り板を省略して示しており、図４および図５については、中仕切り部材を省略して示しており、図８から図１０については、固定手段が省略されている。
【００６４】
本発明の中仕切りコンテナおよび中仕切り部材の位置決め固定具は、例えば中仕切りコンテナを自動ラインにおいて使用する際に、中仕切り部材の飛び出しを防止し、位置精度良好に物品の取出しが可能であるとともに、様々な物品を収容して汎用性高く使用できるものである。
【００６５】
＜中仕切りコンテナ９０＞
本発明の中仕切りコンテナ９０は、図１に示したように、まず底壁部７０と底壁部７０の周縁より立設された複数の側壁部７２とにより、内方に物品収容部７４を形成するとともに、底壁部７０と対向する側（図１では上方）が開口されたコンテナ本体部７６を備えている。
【００６６】
そして、このコンテナ本体部７６内には、複数の中仕切り板８２で物品収容部７４を複数の小部屋に区画形成する中仕切り部材８０が配設され、この中仕切り部材８０は、位置決め固定具１０により、コンテナ本体部７６の側壁部７２に位置決め固定されている。
【００６７】
本願発明における中仕切りコンテナ９０では、この位置決め固定具１０が特徴的な構成を有しており、以下、この位置決め固定具１０について詳細に説明する。
＜位置決め固定具１０＞
位置決め固定具１０は、図１に示したように、平板部材２０と固定手段３０とから構成されている。
【００６８】
まず平板部材２０は、図２に示したようにコンテナ本体部７６の物品収容部７４内に収容された複数の中仕切り板８２の各開口側端部８４を係止するための係止溝２２が所定間隔置きに櫛状に複数形成され、コンテナ本体部７６の側壁部７２の開口縁に沿って配設されるようになっている。
【００６９】
このような平板部材２０は、寸法精度を高めるため、打ち抜き加工または射出成形を用いて製造することが好ましい。
なお、このような方法で製造された平板部材２０は、長辺側の寸法公差が、±０．５ｍｍ以内であることが好ましい。
【００７０】
そして、この平板部材２０に設けられた複数の係止溝２２内に中仕切り板８２の各開口側端部８４を差し込んで係止した状態で、固定手段３０によってコンテナ本体部７６の側壁部７２に対して着脱自在に固定されている。
【００７１】
このような位置決め固定具１０は、例えば中仕切りコンテナ９０の各側壁部７２にそれぞれ設けられており、図１においては、４つの側壁部７２に対して、それぞれ平板部材２０が位置決め固定されている。
【００７２】
各位置決め固定具１０は、図３に示したように、平板部材２０に設けられた係止溝２２内に中仕切り部材８０の各中仕切り板８２の開口側端部８４が係止されるようになっており、この係止溝２２の間隔と、中仕切り板８２の間隔とは略同一である。
【００７３】
なお、平板部材２０の各係止溝２２の幅Ｔ１と、中仕切り部材８０の各中仕切り板８２の幅Ｔ２についても、略同一幅に設定されている。このため、中仕切り部材８０の各中仕切り板８２が、平板部材２０の各係止溝２２内でがたつくことがないようになっている。
【００７４】
そして平板部材２０の各係止溝２２に、中仕切り部材８０の各中仕切り板８２を係止した後、コンテナ本体部７６の側壁部７２に固定手段３０を用いて着脱自在に固定される。
このような固定手段３０は、コンテナ本体部７６の側壁部７２に対して着脱自在に位置決め固定されるようになっていれば、如何なる固定手段を用いても良いものであるが、例えば下記実施例１または２による固定手段３０を用いれば、確実に位置決め固定をすることができる。
【００７５】
以下、実施例１における固定手段３０について説明する。
図４および図５に示した実施例１における固定手段３０は、コンテナ本体部７６の物品収容部７４側に位置する取り付けピン部材３６と、コンテナ本体部７６の外側に位置する係止操作部材４０とから構成されている。
【００７６】
取り付けピン部材３６は、平板部材２０と側壁部７２を貫通する軸部３２を有しており、軸部３２の一端部には軸部３２よりも一回り大きな抜け止めフランジ部３４が設けられている。
【００７７】
このとき平板部材２０と側壁部７２には、それぞれ取り付けピン部材３６の軸部３２と略同サイズの係止孔２６および取り付け用孔７８が設けられている。
なお本実施例では、軸部３２の断面形状は略長楕円形状であり、これに対応して係止孔２６，取り付け用孔７８の形状も略長楕円形状となっている。
【００７８】
そして、平板部材２０の係止孔２６と側壁部７２の取り付け用孔７８とを位置合わせし、図６に示したようにこの状態で両孔２６，７８内に取り付けピン部材３６の軸部３２を挿入して、平板部材２０の係止孔２６の端部に抜け止めフランジ部３４を引っ掛け、側壁部７２の外側より突出した軸部３２の端部を、係止操作部材４０の係合部４２と係合させることにより、平板部材２０が側壁部７２に対して位置決め固定される。
【００７９】
このとき、軸部３２の断面形状が略長楕円形であるため、軸部３２の外形部分が、係止孔２６，取り付け用孔７８に嵌合して、係止孔２６，取り付け用孔７８内で取り付けピン部材３６が回転しないようになっている。
【００８０】
なお、取り付けピン部材３６と係止操作部材４０との係合方法については、特に限定されるものではないが、例えば図７に示したように、取り付けピン部材３６の軸部３２に係合リブ３８を設けておき、係止操作部材４０のつまみ部４４を把持して９０度回転させることで、取り付けピン部材３６の軸部３２の係合リブ３８と係止操作部材４０の係合部４２の係合突起（図示せず）とが係合するようにすれば、互いの固定が良好であるとともに、着脱が簡単に行える。
【００８１】
また、取り付けピン部材３６の抜け止めフランジ部３４は、平板部材２０の段部２４内に位置するようになっており、この段部２４の段差幅が、抜け止めフランジ部３４の厚みよりも大きく設定されていることから、中仕切りコンテナ９０から物品を取り出す際に、抜け止めフランジ部３４が物品に引っかからないようになっている。
【００８２】
このような固定手段３０により、側壁部７２に平板部材２０が固定された中仕切りコンテナ９０は、図８に示したように、中仕切りコンテナ９０の寸法基準点Ｐをコンテナ本体部７６の上面視において左下に設定した場合、寸法基準点Ｐに近い側における平板部材２０に設けられた係止孔２６ａの形状と、側壁部７２に設けられた取り付け用孔７８ａの形状と、取り付けピン部材（図示せず）の軸部（図示せず）の断面形状が、略同一に設定されている。
【００８３】
このため、中仕切りコンテナ９０の側壁部７２に対して、平板部材２０が上下左右に動くことなく、所定の位置に確実に位置決めされるようになっている。
一方、コンテナ本体部７６の寸法基準点に遠い側においては、平板部材２０に設けられた係止孔２６ｂの形状が、側壁部７２に設けられた取り付け用孔７８ｂの形状よりも若干大きく設定されている。
【００８４】
これは、コンテナ本体部７６の材質によって、側壁部７２の一方の取り付け用孔７８から他方の取り付け用孔７８までの距離がばらつくのに対し、平板部材２０の寸法公差が厳しく設定されていることから、互いの孔２６ａ，７８ａから孔２６ｂ，７８ｂまでの距離と位置が合致しない場合が有るためである。
【００８５】
このように寸法基準点Ｐに遠い側に位置する平板部材２０の係止孔２６ｂが取り付け用孔７８ｂよりも大きければ、取り付け用孔７８ｂの位置と係止孔２６ｂの位置とが多少ずれていても、側壁部７２に平板部材２０を固定手段３０で確実に固定することができる。
【００８６】
なお、コンテナ本体部７６の寸法基準点Ｐに遠い側に位置される平板部材２０の係止孔２６ｂの形状は、側壁部７２の取り付け用孔７８ｂと比べて左右の方向にのみ大きく設定されていれば、上下方向については位置決めがなされているため、位置決め良好である。
【００８７】
また、図９に示したように、例えば中仕切りコンテナ９０の寸法基準点Ｐがコンテナ本体部７６の中心である場合には、側壁部７２の上端中央に取り付け用孔７８ａを設けるとともに、平板部材２０の上端中央に同様に係止孔２６ａを設け、この中央の係止孔２６ａを取り付け用孔７８ａと略同一に設定し、平板部材２０の両端部に位置する係止孔２６ｂを取り付け用孔７８ｂよりも若干大きく設定することが好ましい。
【００８８】
さらに、図１０に示したように、平板部材２０を一枚の側壁部７２に対して２枚設置するようにしても良く、この場合においても寸法基準点Ｐに近い側における平板部材２０に設けられた係止孔２６ａの形状と、側壁部７２に設けられた取り付け用孔７８ａの形状と、取り付けピン部材（図示せず）の軸部（図示せず）の断面形状を、略同一に設定し、寸法基準点Ｐに遠い側に位置する平板部材２０の係止孔２６ｂを取り付け用孔７８ｂよりも大きく設定することが好ましい。
【００８９】
要は、寸法基準点Ｐにより近い係止孔２６ａを、取り付け用孔７８ａと、取り付けピン部材（図示せず）の軸部（図示せず）の断面形状と略同一に設定すれば、如何なる形態であっても良いものである。
【００９０】
このため、上記した固定手段３０を用いた位置決め固定具１０を使用すれば、例えば自動ラインにおいて中仕切りコンテナ９０を使用する際に、中仕切り部材８０の飛び出しを防止し、位置精度良好に物品の取出しを可能とすることができる。
【００９１】
また、物品のサイズに合わせて中仕切り部材８０の複数の中仕切り板８２によって仕切られる小部屋の大きさを変化させ、この間隔に合わせた位置に係止溝２２を有する平板部材２０を用意すれば、様々な大きさの物品に対しても同じコンテナ本体部７６を用いることができるため、汎用性が高く、使用用途を拡大することができる。
【００９２】
次に、図１１〜図１４に示した位置決め固定具１０は、第２の実施例における部分拡大斜視図である。なお、図１１〜図１３については、説明の便宜上、中仕切り部材８０を省略して示しており、図１４は嵌合部材５０を省略して示している。
【００９３】
図１１〜図１４に示した位置決め固定具１０は、図１〜図１０に示した第１の実施例の位置決め固定具１０と基本的には同じ構成であるので、同じ構成部材には同じ参照番号を付してその詳細な説明を省略する。
【００９４】
図１１および図１２に示した位置決め固定具１０は、まず固定手段３０が、側壁部７２の開口側端面７５上に形成された上端凹部７３内に設けた側壁嵌合孔７１に嵌合される嵌合爪５２と、上端凹部７３内に設けた挿入孔７７に挿入される挿入凸部５６と、平板部材２０を側壁部７２側に押圧する押圧部５４と、を有する嵌合部材５０から構成されている。
【００９５】
一方、嵌合部材５０により側壁部７２に固定される平板部材２０には、嵌合部材５０の押圧部５４が挿入される挿入凹部２８が設けられている。
そして、平板部材２０の側壁部７２への固定に際しては、実施例１の位置決め固定具１０の場合と同様、まず中仕切り部材８０の各中仕切り板８２を、平板部材２０の各係止溝２２内に挿入して係止する。
【００９６】
そして、図１３に示したように、嵌合部材５０の嵌合爪５２と側壁部７２の側壁嵌合孔７１とを嵌合させると同時に、挿入凸部５６を挿入孔７７へ挿入し、さらに平板部材２０の挿入凹部２８に嵌合部材５０の押圧部５４を挿入することにより、側壁部７２に対して平板部材２０が固定される。
【００９７】
嵌合部材５０の挿入凸部５６は、先端部に行くにしたがって幅が狭くなるテーパー形状となっており、このテーパー形状の挿入凸部５６が挿入孔７７に案内されることで、側壁嵌合孔７１に嵌合部材５０の嵌合爪５２が嵌合させ易くなっている。
【００９８】
また図１４に示したように、中仕切りコンテナ９０の寸法基準点Ｐをコンテナ本体部７６の上面視において左下に設定した場合、コンテナ本体部７６の寸法基準点Ｐから近い側の固定位置においては、コンテナ本体部７６の側壁部７２の開口側端面７５に設けられた上端凹部７３ａの位置と平板部材２０の挿入凹部２８ａの位置が、ぴったりと合うように設定されており、上端凹部７３ａの形成幅と嵌合凹部２８ａの形成幅とが略同一幅に設定されているとともに、嵌合部材５０（図示せず）の長辺幅と押圧部５４の形成幅とが略同一幅に設定されている。
【００９９】
一方、コンテナ本体部７６の基準点から遠い側に固定位置においては、平板部材２０の挿入凹部２８ｂの形成幅が、上端凹部７３ｂの形成幅よりも大きく設定されている。
このように幅を設定することによる効果は、上記した実施例１における位置決め固定具１０と同様、寸法基準点Ｐに近い側の固定位置については、寸法精度良く位置決めし、寸法基準点Ｐに遠い側の固定位置については、挿入凹部２８ｂの位置と上端凹部７３ｂの位置とが多少ずれていても、側壁部７２に平板部材２０を固定手段３０で確実に固定することができるので、中仕切り部材８０の各中仕切り板８２を位置精度良く、位置決めすることができることである。
【０１００】
もちろん、実施例１と同様、寸法基準点Ｐの位置によっては、平板部材２０を分割して設けたり、固定手段３０による固定点を増やしたりすることができる。
また、挿入凹部２８の凹部深さ２１は、嵌合部材５０の押圧部５４の厚み以上となるように設定することが好ましく、このように設定されていれば、コンテナ本体部７６の端部に物品が入れられていた場合でも、物品取り出し時に物品が押圧部５４に接触することがない。
【０１０１】
さらに、嵌合部材５０が、コンテナ本体部７６の最外形よりも外方および上方に突出しないように構成されていることが好ましく、このように構成されていれば、中仕切りコンテナ９０を重ねたり並べたりした際に、互いに干渉することがないため、破損の心配がない。
【０１０２】
以上、本発明における中仕切りコンテナ９０および中仕切り部材８０の位置決め固定具１０の好ましい形態について説明したが、本発明は上記の形態に限定されるものではないものである。
【０１０３】
上記実施例では、各側壁部７２のそれぞれに平板部材２０を位置決め固定するようになっているが、例えば縦横それぞれ一辺にのみ平板部材２０を配設しても良いものである。
また、中仕切り部材８０については、格子状に設けられたものを例に挙げているが、これ以外にも物品収容部７４を単に一方向にのみ仕切るものであっても良く、要はコンテナ本体部７６内の各中仕切り板８２を精度良く位置決め固定できるよう、側壁部７２に対して平板部材２０を着脱自在に固定でき、特にコンテナ本体部７６の寸法基準点Ｐに近い固定位置において位置決めなされていれば、どのように中仕切り部材８０が構成されていても良く限定されないものである。
【０１０４】
このように、本発明における中仕切りコンテナ９０および中仕切り部材８０の位置決め固定具１０は、本発明の目的を逸脱しない範囲で種々の変更が可能なものである。
【符号の説明】
【０１０５】
１０・・・位置決め固定具
２０・・・平板部材
２１・・・挿入凹部の凹部深さ
２２・・・係止溝
２４・・・段部
２６・・・係止孔
２６ａ・・係止孔
２６ｂ・・係止孔
２８・・・嵌合凹部
２８ａ・・嵌合凹部
２８ｂ・・嵌合凹部
３０・・・固定手段
３２・・・軸部
３４・・・抜け止めフランジ部
３６・・・取り付けピン部材
３８・・・係合リブ
４０・・・係止操作部材
４２・・・係合部
４４・・・つまみ部
５０・・・嵌合部材
５２・・・嵌合爪
５４・・・押圧部
５６・・・挿入凸部
７０・・・底壁部
７１・・・側壁嵌合孔
７２・・・側壁部
７３・・・上端凹部
７３ａ・・上端凹部
７３ｂ・・上端凹部
７４・・・物品収容部
７５・・・開口側端面
７６・・・コンテナ本体部
７７・・・挿入孔
７８・・・取り付け用孔
７８ａ・・取り付け用孔
７８ｂ・・取り付け用孔
８０・・・中仕切り部材
８２・・・中仕切り板
８４・・・開口側端部
９０・・・中仕切りコンテナ
Ｔ１・・係止溝の幅
Ｔ２・・中仕切り板の幅
Ｐ・・・寸法基準点
１００・・・中仕切りコンテナ
１０２・・・コンテナ本体部
１０４・・・底壁部
１０６・・・側壁部
１０８・・・貫通スリット
１１０・・・溝部
１２０・・・中仕切り板
１２２・・・凸部
１２４・・・凸部
２００・・・中仕切りコンテナ
２０２・・・コンテナ本体部
２０４・・・側壁部
２２０・・・中仕切り部材
２２２・・・中仕切り板
２３０・・・平板部材
２３２・・・溝
【図１】
2010241435.tif 000003
【図２】
2010241435.tif 000004
【図３】
2010241435.tif 000005
【図４】
2010241435.tif 000006
【図５】
2010241435.tif 000007
【図６】
2010241435.tif 000008
【図７】
2010241435.tif 000009
【図８】
2010241435.tif 000010
【図９】
2010241435.tif 000011
【図１０】
2010241435.tif 000012
【図１１】
2010241435.tif 000013
【図１２】
2010241435.tif 000014
【図１３】
2010241435.tif 000015
【図１４】
2010241435.tif 000016
【図１５】
2010241435.tif 000017
【図１６】
2010241435.tif 000018